(57)【特許請求の範囲】
【請求項１】
埋設合成樹脂管の端部を閉塞する端部処理治具であって、
前記埋設合成樹脂管の管端から管内に気密に挿入される栓部と前記管端に当接する基部とからなる栓体と、
半円弧状の２つの挟持体の片側にヒンジ部が接続されて開閉自在となり、前記ヒンジ部と逆の側に止め部が形成され、前記埋設合成樹脂管の端部外周に挟持されて着脱自在に固定される固定バンドとを備え、
前記栓体の基部に掛け爪部を設けると共に、該掛け爪部に連結して前記栓体を引き止めるクリップ部を前記固定バンドに設け、
前記止め部は、一方の挟持体に軸支された止めバーを他方の挟持体における凹部にはめ込み、バネ座金を介在させた締結ボルトを締め込むことで、前記２つの挟持体を閉じた状態に維持し、前記埋設合成樹脂管の端部の径を絞り込むことを特徴とする埋設合成樹脂管の端部処理治具。
【請求項２】
前記固定バンドにおける端部外周との接触面には、スパイク部が形成されることを特徴とする請求項１に記載された埋設合成樹脂管の端部処理治具。
【請求項３】
前記クリップ部には、連結状態をロックする安全装置が設けられることを特徴とする請求項１に記載された埋設合成樹脂管の端部処理治具。
【請求項４】
前記基部の管外側には、引き抜き用の連結部が設けられることを特徴とする請求項１に記載された埋設合成樹脂管の端部処理治具。
【発明の詳細な説明】
【０００１】
【発明の属する技術分野】
本発明は、既設管路の入れ替え工事等において、埋設されたＰＥ管等の合成樹脂管の端部を閉塞する端部処理治具、及びその端部処理治具を用いた作業方法に関するものである。
【０００２】
【従来の技術】
既設の老朽化したガス管をＰＥ管等の合成樹脂管に入れ替える工事としては、既設管が埋設されている溝内で既設管の撤去と新設管の敷設を同時に行う、所謂「同時工事」がなされている。この同時工事においては、全ての工事区間を一日で作業し終えることができないことから、一日の作業が終了した時点で、同一溝内に有る入れ替えられた新設管と未だ入れ替えられていない既設管を仮結びして両者間のガス導通を行っており、工事期間内であっても工事区域の下流側へガス供給が途絶えないようにしている。
【０００３】
図７は、従来の同時工事おける仮結び工程の一例を示す説明図である。これによると、新設されたＰＥ管１は端部が融着キャップ４により閉塞処理され、その周辺に装着されたサドルクランプ１Ａにバイパス管３が接続されており、端部が閉塞された既設のガス管２の取り出しプラグ２Ａにこのバイパス管３が接続されて両者間のガス導通が確保されている。２Ｂはガス遮断バッグ挿入用の孔を塞ぐプラグを示している。このような同時工事においては、サドルクランプ１Ａを取り外してＰＥ管１内にガス遮断バッグを挿入してガス遮断を行った後、融着キャップ４が融着された端部を破線Ｓで切断し、既設のガス管２を必要区間撤去した後、切断された端部に新設のＰＥ管を接続することで入れ替え作業が進められることになる。
【０００４】
【発明が解決しようとする課題】
このような従来技術においては、同時工事の仮結び工程毎に、新設されたＰＥ管１の端部を融着キャップ４で閉塞させる端部処理が必要となるが、融着キャップ４は一旦ＰＥ管１の端部に融着されると取り外しのできないものであるから、入れ替え作業を進捗させるためにはＰＥ管１の端部を融着キャップ４を含めて切断しなければならない。これによると各仮結び工程毎に新しい融着キャップ４が必要となり、また、この融着キャップ４は翌日には廃棄されることになるので、工事の施工費がコスト高になるという問題がある。
【０００５】
また、融着キャップ４をＰＥ管１の端部に融着させるには、供給電源の作業現場への搬送や電気供給線の接続といった繁雑な作業が必要になると共に、完全な融着処理を行うための作業時間が必要になり工程が長引くことになって、作業性の面で問題がある。更には、電気供給をガス管の接続工事現場で行うことになるので、安全性の面でも問題があった。
【０００６】
更には、工事が数日に亘ると、切断された管端部に融着された融着キャップ４が廃材として多数残ることになり、この余分な廃材を処理するためには廃材処理費がかかるので、更に施工コストが嵩むという問題がある。
【０００７】
本発明は、このような事情に対処するために提案されたものであって、同時工事等の既設管路の入れ替え工事において埋設されるＰＥ管等の合成樹脂管を対象にして、管の端部に簡単に脱着できるようにすることで良好な作業性が得られると共に、同時工事の仮結び工程を繰り返し行う際にも施工費を低コストに抑えると共に廃材を出さない作業が可能であり、しかも確実な気密性と安全性を確保することができる埋設合成樹脂管の端部処理治具及びその作業方法を提供することを目的とするものである。
【０００８】
【課題を解決するための手段】
このような目的を達成するために、本発明は以下の特徴を具備するものである。
【０００９】
請求項１に係る発明は、埋設合成樹脂管の端部を閉塞する端部処理治具であって、前記埋設合成樹脂管の管端から管内に気密に挿入される栓部と前記管端に当接する基部とからなる栓体と、半円弧状の２つの挟持体の片側にヒンジ部が接続されて開閉自在となり、前記ヒンジ部と逆の側に止め部が形成され、前記埋設合成樹脂管の端部外周に挟持されて着脱自在に固定される固定バンドとを備え、前記栓体の基部に掛け爪部を設けると共に、該掛け爪部に連結して前記栓体を引き止めるクリップ部を前記固定バンドに設け、前記止め部が、一方の挟持体に軸支された止めバーを他方の挟持体における凹部にはめ込み、バネ座金を介在させた締結ボルトを締め込むことで、前記２つの挟持体を閉じた状態に維持し、前記埋設合成樹脂管の端部の径を絞り込むことを特徴とする。
【００１０】
請求項２に係る発明は、請求項１における埋設合成樹脂管の端部処理治具を前提として、前記固定バンドにおける端部外周との接触面には、スパイク部が形成されることを特徴とする。
【００１１】
請求項３に係る発明は、請求項１における埋設合成樹脂管の端部処理治具を前提として、前記クリップ部には、連結状態をロックする安全装置が設けられることを特徴とする。
【００１２】
請求項４に係る発明は、請求項１における埋設合成樹脂管の端部処理治具を前提として、前記基部の管外側には、引き抜き用の連結部が設けられることを特徴とする。
【００１５】
このような特徴を有する各請求項に係る発明は以下の作用をなす。
【００１６】
第１の特徴としては、埋設合成樹脂管の端部を閉塞処理するにあたって、端部の管端から栓体の栓部を管内に挿入し、端部外周に固定バンドを挟持させて固定すると共に固定バンドのクリップ部を栓体の基部における掛け爪部に連結させるという簡単な作業で処理が完了する。また、治具を取り外す際にも、クリップ部と掛け爪部の連結を外して栓体を管端から引き抜き、固定バンドを外すだけの簡単な作業でよい。したがって、閉塞及び取り外し作業の作業性を従来の融着キャップを用いる場合と比較して著しく向上させることができる。そして、このように良好な作業性を確保できることから、端部処理の作業時間を従来と比較して短縮化することができる。
【００１７】
また、栓体の栓部は管内に気密に挿入され、栓体が掛け爪部とクリップ部とからなる抜け出し防止機構によって固定バンドに確実に連結されているので、管内の正圧に対しても栓体が抜け出ることが無く確実な閉塞状態を確保できる。更に処理にあたって火気を用いないので、安全性の高い端部の閉塞処理を行うことができる。
【００１８】
そして、この端部処理治具は、前述のように簡単に着脱できるものであるから、一つのものを繰り返し使用することができる。したがって、端部処理を繰り返す作業においても、一つの治具で対処することができ、低コストの作業を行うことができる。
【００１９】
第２の特徴としては、固定バンドの内側、つまり、端部外周との接触面に、滑り防止用のスパイク部を設けて固定バンドの移動を確実に防止しているので、管内圧力に対しても確実に栓体の抜け出しを防止することが可能になる。
【００２０】
第３の特徴としては、更にクリップ部には連結状態をロックする安全装置が設けられているので、クリップ部が誤って外れる事故を未然に防ぐことが可能になり、安全性の高い作業を行うことができる。
【００２１】
第４の特徴としては、栓体における基部の管外側に引き抜き用の連結部が設けられているので、気密に管内に挿入された栓部に対して、その連結部に引き抜き装置を連結させる等して、管端から容易に引き抜くことが可能になり、良好な作業性を得ることができる。
【００２２】
第１の他の特徴としては、固定バンドと栓体の栓部とによって端部を加圧挟持することができるので、管内圧力によって管端が膨張変形することを回避することができ、更に栓体の抜け出しを確実に防止することができる。また、合成樹脂管の端部を加圧挟持することで絞り込み変形をさせることができるので、栓体と管の内面との間に多少の間隙かある場合にも端部を絞り込んで充分に気密性を確保できる。
【００２３】
以上のような端部処理治具を用いた作業方法としては、埋設管路の入れ替えを行う同時工事における仮結び工程を円滑に行うことが可能になり、工事の施工時間を短縮化することが可能になる。また、端部処理に際して火気を使うことがないので同時工事の仮結び工程を安全に行うことが可能になる。更には、繰り返しの仮結び工程に対しても一つの治具の繰り返し利用によって低コストの作業を行うことが可能になる。
【００２４】
【発明の実施の形態】
以下、本発明の実施形態を図面を参照して説明する（なお、従来と同一の部分には同一の番号を付して重複した説明は省略する。）。図１は本発明の一実施例に係る埋設合成樹脂管の端部処理治具を示す外観図である。１は埋設された合成樹脂管の一例であるＰＥ管を示しており、その端部を閉塞する本発明の実施形態に係る端部処理治具は、栓体１０と固定バンド２０とを備えている。
【００２５】
栓体１０の構造を図２及び図３を参照して説明する。図２（ａ）は栓体１０の正面図、同図（ｂ）はその側面図、図３はＡ−Ａ’断面図を示している。栓体１０は、管端から管内に挿入される栓部１１と挿入時に管端に当接する基部１２とによって凸状の部材に構成されている。
【００２６】
栓部１１は管内に挿入されるようにφ１が設定されており、例えば、規格化されている管の内径に応じて、φ９３．１（ＰＥパイプ１号Ｕ，呼び径１００ＪＩＳＫ６７７４）、φ１４２．２（ＰＥパイプ２号，呼び径１５０ＪＩＳＫ６７７４）、φ６９．７（ＰＥパイプ１号，呼び径７５ＪＩＳＫ６７７４）のように設定されている。そして、挿入時の気密性を確保するために外周面にＯリング１３が複数本装備されている。基部１２には、後述するクリップ部と連結するための掛け爪部１４がその外周面の対称位置に２箇所設けられている。また、基部１２の管外側には、引き抜き用の連結部１５が接続されている。
【００２７】
次に、固定バンド２０の構造を図４及び図５を参照して説明する。図４（ａ）は固定バンド２０の正面図、同図（ｂ）はその側面図、図５はａ−ａ’断面図を示している。固定バンド２０は、半円弧状の挟持体２０Ａ，２０Ｂの片側をヒンジ部２１で接続して開閉自在に支持しており、ヒンジ部２１と逆の側に止め部２２が形成されている。止め部２２は、挟持体２０Ａにピン２２ａで軸支された止めバー２２ｂを挟持体２０Ｂにおける凹部２２ｃにはめ込み、バネ座金を介在させた締結ボルト２２ｄを締め込むことで、挟持体２０Ａ，２０Ｂの閉じた状態を固定する機構である。この固定バンド２０における内径ｄ１は、管の外周を挟み付けて固定できるように、規格化された管の外径に応じて設定されている。
【００２８】
そして、この固定バンド２０の外周部には前述の掛け爪部１４に対応する位置にクリップ部２３が設けられている。クリップ部２３は、掛け爪部１４に連結されるクリップリング２３ａ、このクリップリング２３ａを弾性的に引き止めるクリップハンドル２３ｂ、クリップハンドル２３ｂの引き止め状態をロックする安全装置２３ｃとよりなっている。
【００２９】
また、図５に示されるように、固定バンド２０における挟持体２０Ａ，２０Ｂの内面、すなわち管の外周との接触面２０ａには、管の外周に食い込んで固定バンド２０の移動を阻止するためのスパイク部２０ｂが設けられている。
【００３０】
このような栓体１０と固定バンド２０は、図１に示されるようにＰＥ管１の端部に装着されて、端部を閉塞処理するものである。すなわち、まず栓体１０の栓部１１がＰＥ管１端部の管端から管内に気密に挿入され、基部１２が管端に当接するまで押し込められる。
【００３１】
次に、ＰＥ管１端部外周の挿入された栓部１１上に固定バンド２０を装着する。固定バンド２０の装着は、挟持体２０Ａ，２０Ｂを開いて両者間にＰＥ管１を挟み、これらを閉じて止め部２２（ピン２２ａ，止めバー２２ｂ，凹部２２ｃ，締結ボルト２２ｄ）によって固定するものである。
【００３２】
そして、固定バンド２０が装着されると、クリップリング２３ａを掛け爪部１４に連結し、クリップハンドル２３ｂを閉じてクリップリング２３ａを弾性的に引き止め、更に、安全装置２３ｃによりクリップハンドル２３ｂの引き止め状態をロックする。
【００３３】
これにより、ＰＥ管１の端部は栓部１０の気密な挿入によって閉塞状態に処理されることになり、また、固定バンド２０におけるクリップ部２３の引き止め作用によって、ＰＥ管１内に正圧が生じる状態においても栓部１０が抜け出ることがない。更には、固定バンド２０の挟持体２０Ａ，２０Ｂの内面にはスパイク部２０ｂが設けられているので、固定バンド２０の装着後の移動は完全に阻止されることになり、また、クリップ部２３にはクリップ状態をロックする安全装置２３ｃが設けられているので、ＰＥ管１内の圧力が高くなっても治具の外れが生じることはない。
【００３４】
また、ＰＥ管１の端部は、栓体１０及び固定バンド２０が装着されることによって、固定バンド２０の挟持体２０Ａ，２０Ｂと栓体１０の栓部１１とにより加圧挟持されて管径が保持されることになる。したがって、ＰＥ管１内の正圧により管端が膨張変形することを回避することができ、この膨張変形によって気密性に支障がでたり、栓体が抜け出したりすることを完全に防止することができる。またＰＥ管１の端部に対して固定バンド２０による加圧挟持をおこなうことで、端部を絞り込んで変形させることができる。したがって、栓体１０の外径と端部の内面に多少の間隙がある場合であっても、端部を加圧して絞り込むので充分な気密性を確保することができる。
【００３５】
そして、クリップ部２３の安全装置２３ｃを解除してクリップ部２３を開放し、栓体１０を引き抜き、固定バンド２０を取り外すことにより、簡単に端部から治具を取り外すことができる。栓体１０の引き抜きの際には、引き抜き用の連結部１５を用いて、これに必要に応じて引き抜き手段を連結することで、栓体１０が強固に挿入されている場合にも容易に引き抜きが可能になる。
【００３６】
このような端部処理治具を用いる作業方法を、既設管の入れ替え工事（同時工事）を例に図６を参照して説明する（図７との対比で同一箇所には同一符号を付して重複した説明を一部省略する。）。同図（ａ）は、同時工事における仮結び工程を完了した状態を示す説明図である。これによると、新設されたＰＥ管１の端部には栓体１０及び固定バンド２０からなる端部処理治具が装着されて、端部の閉塞処理が施されており、既設のガス管２との間にバイパス管３が接続されて両者間のガスの導通が確保されている。この際の端部閉塞処理は、治具を装着するだけの簡単な作業で済むから作業時間の短縮化が可能であると共に、端部処理において特に火気を用いることもないので安全な作業を行うことができる。
【００３７】
同図（ｂ）及び（ｃ）は引き続き入れ替え工事を進捗させる際の作業工程を示す説明図である。同図（ｂ）においては、まずサドルクランプ１ＡをＰＥ管１から外し、ＰＥ管１内にガス遮断バッグ４を挿入して管内のガス遮断を行う。そして、固定バンド２０をＰＥ管１から外して、栓体１０を管端から引き抜く。この際においても、治具の取り外しは簡単な操作で可能であるから作業時間の短縮化を図ることができる。
【００３８】
更に、同図（ｃ）に示すように、既設管の撤去を進めて、長さＬの新設ＰＥ管１’を接続部Ｓ１においてＰＥ管１の端部に接続させて入れ替え工事を進捗させる。そして、仮結び工程においては同図（ａ）と同様に新設管と既設管のガス導通を図る。この際において、繰り返される仮結び工程に対して、引き続き１つの端部処理治具を用いて新設管の端部処理を行うことができるので、施工コストの低減化を図ることが可能になる。
【００３９】
【発明の効果】
本発明は、このように構成されるので、同時工事等の既設管路の入れ替え工事において埋設されるＰＥ管等の合成樹脂管を対象にして、管の端部に簡単に端部処理治具を脱着できるようにすることで良好な作業性が得られると共に、同時工事の仮結び工程を繰り返し行う際にも端部処理治具を再利用して施工費を低コストに抑えることが可能になる。また、治具の抜け出しが確実に阻止されていると共に作業にあたっては火気を用いないので、確実な気密性と安全性を確保することができる。
【図面の簡単な説明】
【図１】本発明の一実施例に係る埋設合成樹脂管の端部処理治具を示す外観図である。
【図２】実施形態に係る栓体の構造を示す説明図であり、同図（ａ）は栓体の正面図、同図（ｂ）はその側面図を示している。
【図３】実施形態に係る栓体の構造を示す説明図であり、Ａ−Ａ’断面を示している。
【図４】実施形態に係る固定バンドの構造を示す説明図であり、同図（ａ）は固定バンドの正面図、同図（ｂ）はその側面図を示している。
【図５】実施形態に係る固定バンドの構造を示す説明図であり、ａ−ａ’断面を示している。
【図６】実施形態の端部処理治具を用いる作業方法である、既設管の入れ替え工事（同時工事）を示す説明である。
【図７】従来の同時工事おける仮結び工程の一例を示す説明図である。
【符号の説明】
１  ＰＥ管
２  ガス管
３  バイパス管
４  ガス遮断バッグ
１０  栓体
１１  栓部
１２  基部
１３  Ｏリング
１４  掛け爪部
１５  連結部
２０  固定バンド
２０ａ  接触面
２０ｂ  スパイク部
２０Ａ，２０Ｂ  挟持体
２１  ヒンジ部
２２  止め部
２３  クリップ部
【図１】
0004116311.tif 000002
【図２】
0004116311.tif 000003
【図３】
0004116311.tif 000004
【図４】
0004116311.tif 000005
【図５】
0004116311.tif 000006
【図６】
0004116311.tif 000007
【図７】
0004116311.tif 000008